(57)【要約】【課題】電磁波の影響により磁気コンパスまたは電子コンパスに正しい方位から方位がずれていることを検出して警告手段を作動させて、地震の前兆を予知することができる地震予知装置である。【解決手段】電磁波の影響により磁気コンパスまたは電子コンパスに正しい方位から設定値以上に方位がずれていることを検出して、ランプ及びブザー等の警告手段が作動する機構を備えた地震予知装置を提供する。【選択図】図３
2011117933.tif 000002
【特許請求の範囲】
【請求項１】
磁気コンパスまたは電子コンパスに警告手段を備え、前記磁気コンパスまたは前記電子コンパスに電磁波が作用し、正しい方位から設定値以上に方位がずれたことを検出した際、前記警告手段が作動を開始し、前記電磁波が作用している間は前記警告手段が作動し続け、前記電磁波の作用が検出されなくなると、前記警告手段の作動を停止するようにしたことを特徴する地震予知装置。
【請求項２】
前記警告手段を複数備え、この複数の前記警告手段を所定時間毎に継続して順次作動させるようにしたことを特徴とする請求項１記載の地震予知装置。
【請求項３】
前記警告手段がランプよりなり、このランプを点滅により作動されることを特徴とする請求項１記載の地震予知装置。
【発明の詳細な説明】
【技術分野】
【０００１】本発明は、地震の予知などに利用できる地震予知装置に関する。
【背景技術】
【０００２】  従来より地震の前兆現象として、電磁波、地磁気、地電流の変化といった現象が起こることが知られており、特に地磁気の変化に基づいて地震の予知を行う発明は例えば、特開平１１−２５８３５３に開示の予知装置がある。【０００３】  前記特許文献に開示された装置は、永久磁石の同極Ｎ、Ｎを対向させて軸に固定した指示軸を糸で固定点に水平に回動するように吊持するとともに磁針を糸で吊持する。磁針は南北の方を向き、常に一定であるが、指示軸の方向は地嵐がくると回動し、この回動量がある閾値をこえると地震が発生すると考えられ、回動量の観察から地震の予知が可能である。【０００４】  しかし、前記特許文献に開示された装置では構造が複雑で、地震を予知するには常に観察していないといけなく、しかも規模が大きくなって、個人用、家庭用には適さないものである。
【先行技術文献】
【０００５】
【特許文献】
【０００６】
【特許文献】特開平１１−２５８３５３号
【発明の概要】
【発明が解決しようとする課題】
【０００７】  そこで、この発明は磁気コンパスまたは電子コンパスを利用して、地震の前兆を分かり易く予知することができ、個人用、家庭用のとして使用できる電磁波検出装置を提供することを課題とする。
【課題を解決するための手段】
【０００８】  この発明は、上記課題を解決するために磁気コンパスまたは電子コンパスに警告手段を備え、前記磁気コンパスまたは前記電子コンパスに電磁波が作用し、正しい方位から設定値以上に方位がずれたことを検出した際、前記警告手段が作動を開始し、前記電磁波が作用している間は前記警告手段が作動し続け、前記電磁波の作用が検出されなくなると、前記警告手段の作動を停止するようにしたことを特徴とし、これによれば、地震の前兆現象の一つである電磁波を検出し、この電磁波が作用している間、警告手段が作動するので、簡単に地震の前兆を予知でき、しかも、警告手段が作動するので常に観察する必要がなく手間がかからない。【０００９】  さらに、この発明では警告手段を複数備え、この複数の前記警告手段を所定時間毎に継続して順次作動させるようにしたので、地震の前兆が分かり易くなる。【００１０】  また、この発明では表示手段がランプよりなり、このランプが点滅して作動するので、誰にでも地震の前兆が視覚により予知でき、非難の準備が早くなる。
【発明の効果】
【００１１】  磁気コンパスまたは電子コンパスに警告手段を備え、前記磁気コンパスまたは前記電子コンパスに電磁波が作用し、正しい方位から方位がずれたことを検出した際、前記警告手段が作動を開始し、前記電磁波が作用している間は前記警告手段が作動し続けることにより、地震の前兆を簡単に予知することができ、しかも大型の設備が必要なく、個人用、家庭用の地震の報知器として使用することができる。
【図面の簡単な説明】
【００１２】
【図１】この発明の実施形態１に係る磁気コンパスの斜視図である。
【図２】磁気コンパスの回路図である。
【図３】この発明の実施形態２に係る電子コンパスの回路図である。
【発明を実施するための形態】
【００１３】  次に、この発明の実施形態１に係る磁気コンパスについて、図１及び図２を参照して説明する。
［実施形態１］
【００１４】  この発明は図１に示すように、中空円盤状の基台１に方位磁針部３を設置し、この方位磁針部３を透明のガラス材、強化プラスチック材よりなるドーム型の蓋体２で覆う。前記方位磁針部３の磁針４は磁針軸５によって水平方向に回転自在に軸支され、この磁針４は定常状態で方位表示板６のＮ極を示す。
【００１５】  前記基台１の上面には第１の警告手段となるランプ７が設けられ、前記基台１の側面には第２の警告手段となるブザー８が設置される。このように第１の警告手段は視覚によりものを、第２の警告手段は聴覚によるものを採用したが、これ以外の例えば嗅覚で警告する手段を採用してもよい。
【００１６】  なお、前記ランプ７は点滅するＬＥＤにして前記基台１の上面に多数設けてもよい。また前記ブザー８は連続音を発生するものでも、断続音を発生するものでもよい。
【００１７】  図２に示すように、前記方位磁針部３のＮ極を示す前記磁針４の先端部に可動接点９を設け、前記方位表示板６のＮ極に対して左右の所定角度位置のそれぞれに固定接点１０，１０を設け、可動接点９と固定接点１０，１０により開閉手段１１を構成する。この開閉手段１１は光電素子などの非接触形式を採用してもよい。なお、前記所定角度は２０度位に設定するが、観測結果によって適宜設定すればよい。
【００１８】  前記開閉手段１１はランプ７とブザー８に接続されるとともに、前記開閉手段１１の他に手動開閉手段１２が電源１３に接続される。この電源１３としては乾電池または家庭用交流電源を採用し、乾電池の場合は基台１内に収納するようにしてもよい。
【００１９】  前記開閉手段１１にタイマー１４とカウンター１５を接続し、タイマー１４は前記開閉手段１１が閉状態を一定時間維持するように設定してある。また、カウンター１５は前記可動接点９と前記固定接点１０，１０との接触回数を検知するように設定してある。
【００２０】  前記電磁波の影響で前記方位磁針部３の磁針４が設定値以上大きく揺れると前記磁針４の先端部の前記可動接点９が前記方位表示板６の所定角度位置の前記固定接点１０，１０に接触し、前記開閉手段１１が閉状態になり、前記ランプ７が点滅作動し、前記タイマー１４により一定時間点灯作動した状態を維持する。
【００２１】  携帯電話や大型車両の走行などで電磁波の影響があっても前記磁針４が小さく揺れるだけで前記可動接点９が前記固定接点１０，１０に接触しないので、一定時間以上になれば前記タイマー１４により前記ランプ７は消灯作動する。なお、前記開閉手段１１が閉状態を維持する時間は１５秒間位に設定しておくとよいが、この時間は適宜設定することができる。
【００２２】  前記ランプ７が点滅している間さらに前記磁針４が設定値以上に大きく揺れ、前記可動接点９が前記固定接点１０，１０に接触すると、互いの接点の接触が２回あったことを前記カウンター１５が検知して前記ブザー８を作動させ地震の前兆であることを予知する。また前記可動接点９と前記固定接点１０，１０の接触が３回あったことを前記カウンター１５が検出して前記ブザー８が作動するようにしてもよい。
【００２３】  前記ブザー８の作動は前記手動開閉手段１２を開状態にしないと作動を停止しないが、前記ランプ７は一定時間を経過すると消灯作動する。なお、前記ブザー８が作動すると、前記ランプ７もそのまま点灯作動を継続し、前記手動開閉手段１２が開状態になると消灯動作するようにしてもよい。
【００２４】  次に、この発明の実施形態２に係る電子コンパスについて、図３を参照して説明する。
［実施形態２］
【００２５】  この発明は電源１６に接続される基板２０上に左右方向のＸ軸地磁気センサ１７と、前後方向のＹ軸地磁気センサ１８及びＧＰＳセンサ１９とが載置されて電子コンパス２１を構成している。なお、基板２０上に上下方向のＺ軸地磁気センサ（図示せず）を載置してもよい。
【００２６】  前記電子コンパス２１は正しい方位から設定値以上に方位がずれたことを検出する制御部２２を備える。２３は警告手段で、赤色、黄色、青色からなるＬＥＤ製のランプ２４，２５，２６よりなる。
【００２７】  前記電子コンパス２１に電磁波が作用し、正しい方位から設定値以上に方位がずれたことを前記制御部２２で検出した際、まず警告手段２３の赤色ランプ２４が点滅し、前記電磁波が作用している間の１０秒は点滅を継続し、次に黄色ランプ２５が点滅を始め、赤色ランプ２４とともに１０秒間点滅する。さらに前記電磁波が作用していれば青色ランプ２６が点滅し、三色のランプ２４、２５、２６、の全部が点滅して地震の前兆を予告する。
【００２８】  このように、複数の警告手段２３は順次作動し、電子コンパス２１に電磁波の作用が検出されないと前記警告手段２３の作動が停止するようになっている。
２７は開閉手段で、電源１６から電子コンパス２１への電力供給をリセットする。
【産業上の利用可能性】
【００２９】  この発明は、地震の前兆時に発生する電磁波を磁気コンパスまたは電子コンパスにて検出し方位のずれを表示手段により予告することで、地震災害を未然に防ぐことが可能である。
【符号の説明】
【００３０】１      貴台
２      蓋体
３      方位磁針部
４      磁針
５      回転軸
６      方位表示板
７      警告ランプ
８      警告ブザー
９      可動接点
１０．１０    固定接点
１１    開閉手段
１２    手動開閉手段
１３    電源
１４    タイマー
１５    カウンター
１７    Ｘ軸地磁気センサ
１８    Ｙ軸地磁気センサ
１９    ＧＰＳセンサ
２１    電子コンパス
２２    制御部
２４    赤色ランプ
２５    黄色ランプ
２６    青色アンプ
【図１】
2011117933.tif 000003
【図２】
2011117933.tif 000004
【図３】
2011117933.tif 000005